(57)【要約】      （修正有）【課題】紙おむつ購入時に内容物を秘匿して持ち運ぶことができるとともに、持ち運び後は内容物を取り出しやすく、また取り出した内容物を体裁良く配置しておくことができ、かつ、高級感を与えて贈り物用等としても使用できる構造にする。【解決手段】一側面が開口２３された四角形の箱状ケース２１と四角形の引き出し箱２２とで成る箱状収納体２０と、該箱状収納体２０を包装して成る紙製の箱状カバー３０とを備え、箱状収納体２０の引き出し箱２２内には紙おむつ１５が複数枚配置される。一方、箱状カバーは、底面壁３１と、４個の側面フラップと、１対の補助天面フラップと、１対の主天面フラップを一体に有して成るとともに、包装時は１対の主天面フラップ間を封止テープ３７で封止して箱状収納体の外周を覆って配設され、該封止テープを剥がすと平面状に展開して箱状収納体を取り出せるように構成して成る。【選択図】図３
2010047310.tif 000002
【特許請求の範囲】
【請求項１】
一側面が開口された四角形の箱状ケースと前記開口部分より引き出し可能に前記ケース内に受容された四角形の引き出し箱とで成る箱状収納体と、該箱状収納体を包装して成る紙製の箱状カバーとを備え、
前記箱状収納体の前記引き出し箱内には紙おむつが複数枚並列配置され、
前記箱状カバーは、前記箱状収納体の底面とほぼ等しい四角形の底面壁と、該底面壁の四辺からそれぞれ前記箱状収納体の四側面に沿って折り曲げられる４個の側面フラップと、該４個の側面フラップの互いに対向し合っている２対の側面フラップの中の一方の１対の側面フラップの一辺からそれぞれ前記箱状収納体の天面に沿って折り曲げられる１対の補助天面フラップと、他方の１対の側面フラップの一辺からそれぞれ前記箱状収納体の天面に沿って折り曲げられて前記補助天面フラップの上から該箱状収納体の天面上を覆う１対の主天面フラップを一体に有して成るとともに、包装時は前記１対の主天面フラップ間を封止テープで封止して前記箱状収納体の外周を覆って配設され、該封止テープを剥がすと平面状に展開して前記箱状収納体を取り出せるようにしたことを特徴とする紙おむつ収納用具。
【請求項２】
上記主天面フラップを有する１対の側面フラップの側辺に、上記補助天面フラップを設けた１対の側面フラップと上記箱状収納体側面の間に折り込む折り込みフラップを設けて成ることを特徴とする請求項１記載の紙おむつ収納用具。
【発明の詳細な説明】
【技術分野】
【０００１】
本発明は紙おむつ収納用具に関するものであり、特に、紙おむつを収納した収納体の包装及び取り出し作業が容易で、かつ、購入時に内容物を秘匿して持ち運ぶことができるとともに、贈る人・贈られる人の両方に高級感を与えて贈り物用等としても使用できる紙おむつ収納用具に関するものである。
【背景技術】
【０００２】
近年の高齢化社会の進行により、いわゆる寝たきり老人が増える傾向にある。在宅介護及び老人健康施設等において、これらの患者の看護にあたっては尿、便の処理が大きな問題であって、簡単に処理できることは患者及び看護人の負担軽減にもなるため、近年は使い捨ての紙おむつの使用が主流になっている。
【０００３】
従来、使い捨ての紙おむつを消費者に供給する場合には、紙おむつを所定の枚数積み重ねて１個の包装袋に収納して販売している（例えば、特許文献１参照）。この包装体に用いられる袋は、通常不透明なプラスチックフィルム等からなり、また、その表面全域に当該製品の名称、大きさ、数量、使い方、各種の注意事項等の商品情報が、カラフルな色彩、文字、イラストレーション・写真等により、部分印刷または全面印刷により目を引くように記載されている。
【特許文献１】特開２００５−１７０４３３号公報。
【発明の開示】
【発明が解決しようとする課題】
【０００４】
しかしながら、包装袋の表面に設ける情報表示部には人目を引く印刷により商品情報が記載されているため、購入者は包装体をむき出しのまま持ち運ぶことに心理的に強い抵抗感を持つと言われている。また、使用者側も、自分の身の回りに包装体が向きだしのまま置かれることは心理的に強い抵抗感を持つと言われている。要するに、紙おむつ購入者及び使用者の多くは他人におむつの購入及び使用を知られることを嫌がる傾向にあり、特に、大人用紙おむつ等では、他人におむつ等を購入しているのを見られたり、あるいは使用を知人に知られることに羞恥を覚えることが多いと言われている。
【０００５】
こうしたことから、購入時の持ち運びの際に生ずる羞恥心を軽減するために購入者は宅配便で配送を頼んだり、あるいは大きな袋を持参して収納したり、販売者に依頼してパッケージ全体若しくは一部を別途に包装してもらう必要を生じていた。また、自宅に運んだ包装体は、人目の付きにくい場所に保管したりする必要があり、その保管に苦労をしていた。
【０００６】
また、使い捨て紙おむつの使用量が多くなると経済的な負担も大きくなり、使用者側の経済的な負担を少しでも軽減できるよう、使用者にお世話になった人が感謝の気持ちで少しでも上質でやさしい肌触りの高級な紙おむつを贈りたいということもある。しかし、贈り物用として使用するときには、従来の包装体に収納して販売されている紙おむつでは贈り主側として体裁的に問題があった。
【０００７】
そこで、紙おむつ購入時に内容物を秘匿して持ち運ぶことができるとともに、持ち運び後は内容物を取り出しやすく、また取り出した内容物を体裁良く配置しておくことができ、かつ、高級感を与えて贈り物用等としても使用できる構造にするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、一側面が開口された四角形の箱状ケースと前記開口部分より引き出し可能に前記ケース内に受容された四角形の引き出し箱とで成る箱状収納体と、該箱状収納体を包装して成る紙製の箱状カバーとを備え、前記箱状収納体の前記引き出し箱内には紙おむつが複数枚並列配置され、前記箱状カバーは、前記箱状収納体の底面とほぼ等しい四角形の底面壁と、該底面壁の四辺からそれぞれ前記箱状収納体の四側面に沿って折り曲げられる４個の側面フラップと、該４個の側面フラップの互いに対向し合っている２対の側面フラップの中の一方の１対の側面フラップの一辺からそれぞれ前記箱状収納体の天面に沿って折り曲げられる１対の補助天面フラップと、他方の１対の側面フラップの一辺からそれぞれ前記箱状収納体の天面に沿って折り曲げられて前記補助天面フラップの上から該箱状収納体の天面上を覆う１対の主天面フラップを一体に有して成るとともに、包装時は前記１対の主天面フラップ間を封止テープで封止して前記箱状収納体の外周を覆って配設され、該封止テープを剥がすと平面状に展開して前記箱状収納体を取り出せるようにした紙おむつ収納用具を提供する。
【０００９】
この構成によれば、購入時の持ち運びの際には箱状収納体の外側が箱状カバーで覆われていて、内容物を知られることが少ない状態で、且つ、該箱状収納体を保護してキズを付けることなく持ち運ぶことができる。また、自宅等に持ち帰って封止テープを剥がすと、箱状カバーが平面状に展開して開き、包装されていた箱状収納体を取り出すことができる。さらに、紙おむつは箱状収納体の引き出し箱内に収納されているので、使用するときに該引き出し箱を箱状ケースから引き出して取り出し、再び該引き出し箱を箱状ケース内に押し込んでおくと、紙おむつを人目に触れない状態で保管できる。また、さらに紙おむつの使用後は、引き出し箱に紙おむつを補充して箱状収納体を再利用する。又は紙おむつ以外の物を入れて小物入れ収納体として再利用することもできる。この箱状収納体は、外側面を装飾することより高いグレード感を付与して贈答用として用意することができる。
【００１０】
請求項２記載の発明は、上記主天面フラップを有する１対の側面フラップの側辺に、上記補助天面フラップを設けた１対の側面フラップと上記箱状収納体側面の間に折り込む折り込みフラップを設けて成る紙おむつ収納用具を提供する。
【００１１】
この構成によれば、上記主天面フラップの側辺は、補助天面フラップを設けた１対の側面フラップと箱状収納体側面の間に折り込まれる折り込みフラップを介して箱状収納体に保持される。
【発明の効果】
【００１２】
請求項１記載の発明は、購入時の持ち運びの際に内容物を知られることが少ない状態で、また内側の箱状収納体にキズを付けることなく箱状カバーで覆って持ち運ぶことができるので、購入内容物を人に見られたり知られたりすることによる羞恥心、知られるかもしれないという不安感等を軽減することが可能になる。また、自宅等に持ち帰って封止テープを剥がすと、箱状カバーが平面状に展開して開き、包装された箱状収納体を簡単に取り出すことができるので、取り扱いが簡単になる。さらに、紙おむつは箱状収納体の引き出し箱内に収納されていて、使用に際して引き出し箱から簡単に取り出すことができるので、紙おむつを人目に触れない状態で容易に保管しておくことができる。また、さらに紙おむつを使い終わったら補充して箱状収納体を再利用する、あるいは紙おむつ以外の物を入れて小物入れとして有効に再利用することができる。さらに、生産者側で箱状収納体の外側面を装飾することにより高いグレード感を付与して提供することができるので、贈答用としても幅広く使用することが可能になる。
【００１３】
請求項２記載の発明は、購入時の持ち運びの際に、主天面フラップの側辺が箱状収納体と補助天面フラップの間に確実に挟持されているので、持ち運び時に箱状カバーがばらけることがなく、請求項１記載の発明の効果に加えて、箱状収納体を箱状カバーでサポートした状態で持ち運ぶことができる。
【発明を実施するための最良の形態】
【００１４】
本発明は、紙おむつ購入時に内容物を秘匿して持ち運ぶことができるとともに、持ち運び後は内容物を取り出しやすく、また取り出した内容物を体裁良く配置しておくことができ、かつ、高級感を与えて贈り物用等としても使用できる構造にするという目的を達成するために、一側面が開口された四角形の箱状ケースと前記開口部分より引き出し可能に前記ケース内に受容された四角形の引き出し箱とで成る箱状収納体と、該箱状収納体を包装して成る紙製の箱状カバーとを備え、前記箱状収納体の前記引き出し箱内には紙おむつが複数枚並列配置され、前記箱状カバーは、前記箱状収納体の底面とほぼ等しい四角形の底面壁と、該底面壁の四辺からそれぞれ前記箱状収納体の四側面に沿って折り曲げられる４個の側面フラップと、該４個の側面フラップの互いに対向し合っている２対の側面フラップの中の一方の１対の側面フラップの一辺からそれぞれ前記箱状収納体の天面に沿って折り曲げられる１対の補助天面フラップと、他方の１対の側面フラップの一辺からそれぞれ前記箱状収納体の天面に沿って折り曲げられて前記補助天面フラップの上から該箱状収納体の天面上を覆う１対の主天面フラップを一体に有して成るとともに、包装時は前記１対の主天面フラップ間を封止テープで封止して前記箱状収納体の外周を覆って配設され、該封止テープを剥がすと平面状に展開して前記箱状収納体を取り出せるようにしたことにより実現した。
【実施例】
【００１５】
以下、本発明の紙おむつ収納用具について、好適な実施例をあげて説明する。図１乃至図３は本発明の一実施例を示し、図１は購入して持ち運ぶ時の状態を示す紙おむつ収納用具の斜視図、図２は箱状カバーを開いた状態を示す紙おむつ収納用具の平面図、図３は一部を分解して示す紙おむつ収納用具の斜視図である。
【００１６】
図１乃至図３において、紙おむつ収納用具１０は、箱状収納体２０と該箱状収納体２０を包装している箱状カバー３０を備え、１枚ずつコンパクトに折り畳んで個別包装された紙おむつ１５(図４に一例を示す)が前記箱状収納体２０内に複数枚規則正しく並べられて収納された構成となっている。
【００１７】
前記箱状収納体２０は、箱状ケース２１と左右１対の引き出し箱２２,２２とで構成されている。該箱状ケース２１は、前側側面に開口２３を設けた受容空間２４を内部に有する六面体の化粧ケースで、外側表面にはカラフルな色彩、文字、イラストレーション・写真等の装飾が部分印刷または全面印刷により施されて豪華さ(高級感)を持たせてある。
尚、該箱状収納体２０は、
前面開口の長手方向の巾≧奥行≧高さ
に形成されるを可とするが、之に限定されるものではない。
【００１８】
一方、前記引き出し箱２２,２２は、図５に示すように、前記箱状ケース２１の開口２３の部分に前面が露呈されて該開口２３の部分を塞いだ状態にして、該箱状ケース２１の受容空間２４内に全てが収納され、該開口２３から引き出せる箱体として形成されている。なお、引き出し箱２２,２２の内部は空洞で、また天面が開口されている。そして、該引き出し箱２２,２２内には、図３に示すように、上記個別包装された複数袋の紙おむつ１５,１５…が整列されて収納されている。したがって、引き出し箱２２,２２内に入れられた紙おむつ１５,１５…は、箱状ケース２１から引き出し箱２２,２２を引き出すことにより一袋ずつ使用することができ、無くなったら補充をすることもできる。また、引き出し箱２２,２２の前面には、箱状ケース２１の側面と同様に、カラフルな色彩、文字、イラストレーション・写真等の装飾が部分印刷または全面印刷により施されているとともに、該引き出し箱２２,２２の引き出し操作をし易くするための取っ手２５を取り付けている。
尚、引き出し箱２２は１個乃至４個が使用されるが、この数も特に限定されるものではない。
【００１９】
前記箱状カバー３０は、段ボール等の１枚の紙材料で形成されており、箱状収納体２０の底面の平面形状と略同じ四角形状で一回り大きな底面壁３１と、該底面壁３１の四辺からそれぞれ上方に折り曲げ自在に設けられている左右１対の側面フラップ３２ａ,３２ｂ及び前後１対の側面フラップ３３ａ,３３ｂと、該前後の側面フラップ３３ａ,３３ｂの一辺からそれぞれ内側に向かって折り曲げ可能な主天面フラップ３４ａ,３４ｂ及び側辺からそれぞれ内側に向かって折り曲げ可能な折り込みフラップ３５,３５,３５,３５と、該左右の側面フラップ３２ａ,３２ｂの一辺からそれぞれ内側に向かって折り曲げ可能な補助天面フラップ３６ａ,３６ｂで構成されている。
【００２０】
なお、前記側面フラップ３２ａ,３２ｂ,３３ａ,３３ｂはそれぞれ対応している箱状収納体２０の側面または前面の平面形状と略同じ四角形状で、かつ、一回り大きな形状で形成されており、前記主天面フラップ３４ａ,３４ｂは箱状収納体２０の天面の平面形状の前または後側の半分領域を完全に覆うことができる大きさで形成されている。一方、折り込みフラップ３５は内側に折り曲げられて、箱状収納体２０の左右側面と左右の側面フラップ３２ａ,３２ｂの間に挟持可能な大きさで形成されている。また、補助天面フラップ３６ａ,３６ｂは、内側に折り曲げられて、箱状収納体２０の天面と主天面フラップ３４ａ,３４ｂとの間に挟持可能な大きさで形成されている。
【００２１】
次に、このように構成された紙おむつ収納用具１０の作用を説明する。まず、個別包装された紙おむつ１５を引き出し箱２２に収納し、該引き出し箱２２を箱状ケース２１内に納めた後の箱状収納体２０を箱状カバー３０で包装する場合について説明する。この場合は、図２に示すように、箱状カバー３０が平面状に展開している状態で、該箱状カバー３０の底面壁３１上に箱状収納体２０を載置する。
【００２２】
次いで、前後の側面フラップ３３ａ,３３ｂを箱状収納体２０の前後面に沿わせて上側に折り曲げ、かつ、折り込みフラップ３５,３５,３５,３５をそれぞれ箱状収納体２０の左右の側面に沿わせて内側に折り曲げる。
【００２３】
続いて、左右の側面フラップ３２ａ,３２ｂを箱状収納体２０の左右側面に沿わせて上側に折り曲げ、該左右の側面フラップ３２ａ,３２ｂで前記折り込みフラップ３５,３５,３５,３５を外側から覆って箱状収納体２０の側面に押さえつけるとともに、その後、補助天面フラップ３６ａ,３６ｂをそれぞれ箱状収納体２０の天面に沿わせて内側に折り曲げる。
【００２４】
次いで、前後の主天面フラップ３４ａ,３４ｂを箱状収納体２０の主天面に沿わせて内側に折り曲げ、該主天面フラップ３４ａ,３４ｂで補助天面フラップ３６ａ,３６ｂを上側から覆って箱状収納体２０の天面に押さえ付けるとともに、前後の主天面フラップ３４ａ,３４ｂの間を封止テープ３７で封止する。これにより、図１に示す箱状ケース２１が箱状カバー３０で覆われた紙おむつ収納用具１０が完成する。この紙おむつ収納用具１０では、箱状ケース２１の全体が箱状カバー３０で覆われた状態にあるので、購入時の持ち運びの際には内容物を知られることが少ない状態で、また該箱状収納体２０にキズを付けることなく持ち運ぶことができることになる。
【００２５】
次に、紙おむつ収納用具１０を自宅等に持ち帰って封止テープ３７を剥がすと、図２に示すように、箱状カバー３０が平面状に展開して開き、箱状収納体２０を簡単に取り出すことができる。
【００２６】
また、このように構成された箱状収納体２０は、箱状収納体２０の引き出し箱２２内に紙おむつ１２が個別包装して収納されているので、使用するときに該引き出し箱２２を箱状ケース２１から引き出して取り出し、再び該引き出し箱２２を箱状ケース２１内に押し込んでおくと、紙おむつ１５を人目に触れない状態で保管しておくことができる。
【００２７】
さらに、紙おむつ１５の使用後は、引き出し箱２２に紙おむつ１５を補充して箱状収納体２０を再利用する。あるいは、紙おむつ以外の物を入れて小物入れ収納体として再利用することもできる。
【００２８】
また、箱状収納体２０は、外側面を上述したようにカラフルな色彩、文字、イラストレーション・写真等の装飾を部分印刷または全面印刷により施して豪華さを持たせることによりグレード感が増し、贈答用として用意することもできる。
【００２９】
なお、上記実施例の構成では、個別包装した紙おむつ１５を使用した場合について説明したが、本発明を実施するにあたっては個別包装してない紙おむつを使用しても差し支えないものである。
【００３０】
また、本発明は、本発明の精神を逸脱しない限り種々の改変を為すことができ、そして、本発明が該改変されたものに及ぶことは当然である。
【図面の簡単な説明】
【００３１】
【図１】本発明の一実施例で、購入して持ち運ぶ時の状態で示す紙おむつ収納用具の斜視図。
【図２】本発明の一実施例で、箱状カバーを開いた状態で示す紙おむつ収納用具の平面図。
【図３】本発明の一実施例で、一部を分解して示す紙おむつ収納用具の斜視図。
【図４】本発明の一実施例で、紙おむつの一例を示す外観斜視図。
【図５】本発明の一実施例で、箱状収納体の外観斜視図。
【図６】本発明の一実施例で、箱状カバーの展開平面図。
【符号の説明】
【００３２】
１０    紙おむつ収納用具
１２    紙おむつ
２０    箱状収納体
２１    箱状ケース
２２    引き出し箱
２３    開口
２４    受容空間
２５    取っ手
３０    箱状カバー
３１    底面壁
３２ａ,３２ｂ    左右１対の側面フラップ
３３ａ,３３ｂ    前後１対の側面フラップ
３４ａ,３４ｂ    主天面フラップ
３５    折り込みフラップ
３６ａ,３６ｂ  補助天面フラップ
３７    封止テープ
【図１】
2010047310.tif 000003
【図２】
2010047310.tif 000004
【図３】
2010047310.tif 000005
【図４】
2010047310.tif 000006
【図５】
2010047310.tif 000007
【図６】
2010047310.tif 000008